(57)【要約】【課題】導光体の側面からの漏れ光を有効に利用する。【解決手段】灯具１は、ＬＥＤ４と、ＬＥＤ４からの光を内部に入射させる右端面、及びこの右端面から入射した光を前方へ出射させる前面を有する導光体５と、導光体５の下方に配設され、当該導光体５の下側面から出射した光を前方へ反射させるリフレクタ７の反射面７２ａとを備える。【選択図】図２
2015159063.tif 000002
【特許請求の範囲】
【請求項１】
光源と、
前記光源からの光を内部に入射させる入射面、及び、前記入射面から入射した光を前方へ出射させる前面を有する導光体と、
を備える灯具であって、
前記導光体の側方に配設され、当該導光体の側面から出射した光を前方へ反射させる反射面を備えることを特徴とする灯具。
【請求項２】
前記反射面は、正面視で前記導光体の側方に隣接していることを特徴とする請求項１に記載の灯具。
【請求項３】
前記反射面は、側方に向かって所定の角度で斜め前方へ傾斜した傾斜面であることを特徴とする請求項１又は２に記載の灯具。
【発明の詳細な説明】
【技術分野】
【０００１】
本発明は、導光体を発光させる灯具に関する。
【背景技術】
【０００２】
従来、例えば車両用などの各種の灯具として、光源からの光によって導光体を発光させるものが知られている。導光体としては、長尺な棒状に形成された導光棒（例えば、特許文献１，２参照）や、板状に形成された導光板（例えば、特許文献３参照）が広く用いられている。
【０００３】
このような導光体は、一般に、内部の光を反射させるレンズカットが形成された後面を有しており、端面から入射した光を導光させつつ後面のレンズカットで反射させて前面から出射させることによって、当該前面が発光するように構成されている。
【先行技術文献】
【特許文献】
【０００４】
【特許文献１】特開２０１０−２７２４６９号公報
【特許文献２】特開２０１３−１７９０９２号公報
【特許文献３】特開２０１３−１６８２６８号公報
【発明の概要】
【発明が解決しようとする課題】
【０００５】
ところで、導光体では、内部を導光する光を完全には制御できないため、発光面である前面からではなく、その側方の側面から抜け出る漏れ光が、どうしても出てきてしまう。このような漏れ光は所望の光路では照射されない雑光となりやすいため、当該漏れ光を有効に利用できる技術が望まれていた。
【０００６】
本発明は、上記課題を解決するためになされたもので、導光体の側面からの漏れ光を有効に利用することができる灯具の提供を目的とする。
【課題を解決するための手段】
【０００７】
上記目的を達成するために、請求項１に記載の発明は、
光源と、
前記光源からの光を内部に入射させる入射面、及び、前記入射面から入射した光を前方へ出射させる前面を有する導光体と、
を備える灯具であって、
前記導光体の側方に配設され、当該導光体の側面から出射した光を前方へ反射させる反射面を備えることを特徴とする。
【０００８】
請求項２に記載の発明は、請求項１に記載の灯具において、
前記反射面は、正面視で前記導光体の側方に隣接していることを特徴とする。
【０００９】
請求項３に記載の発明は、請求項１又は２に記載の灯具において、
前記反射面は、側方に向かって所定の角度で斜め前方へ傾斜した傾斜面であることを特徴とする。
【発明の効果】
【００１０】
本発明によれば、導光体の側方に配設された反射面によって、当該導光体の側面から出
射した光が前方へ反射される。したがって、導光体の側面から抜け出てしまった漏れ光を、前方への照射光として有効に利用することができる。
【図面の簡単な説明】
【００１１】
【図１】実施形態における灯具の正面図である。
【図２】図１のII−II線での断面図である。
【図３】反射面による導光体からの漏れ光の反射態様を説明するための図である。
【発明を実施するための形態】
【００１２】
以下、本発明の実施形態について、図面を参照して説明する。
図１は、本実施形態における灯具１の正面図であり、図２は、図１のII−II線での断面図である。
なお、以下の説明において、「前」「後」「左」「右」「上」「下」との記載は、特に断りのない限り、灯具１から見た方向を意味するものとする。
【００１３】
図１及び図２に示すように、灯具１は、前面が開口したハウジング２と、当該ハウジング２の前面開口を覆う素通しのアウターレンズ３とを備えている。これらハウジング２とアウターレンズ３とで画成される灯室の内部には、６つのＬＥＤ（発光ダイオード）４，…と、３つの導光体５，…と、インナーレンズ６と、リフレクタ７とが収容されている。
【００１４】
このうち、６つのＬＥＤ４，…は、灯室内の右端部に上下方向に略沿って並設されており、各発光面を左方に向けた状態で共通の基板４１上に実装されている。より詳しくは、６つのＬＥＤ４，…は、２つ毎に組をなして３組を構成しており、組毎にまとまって配設されている。
【００１５】
３つの導光体５，…は、それぞれ左右方向に長尺な形状に形成され、下側のものほどやや前方に配置されつつ上下方向に略沿って並設されている。各導光体５は、前方への凸状に形成されて左右方向に長尺な２つの蒲鉾形状部５０，５０が上下方向に沿って連結された形状に形成されている。これら３つの導光体５，…は、３組のＬＥＤ４，…と対応しており、そのうちの各蒲鉾形状部５０が各ＬＥＤ４と対応している。
【００１６】
各導光体５の右端面は、対応する組のＬＥＤ４，４と対向しており、この組のＬＥＤ４，４から出射された光を当該導光体５内に入射させる入射面となっている。具体的には、各導光体５の右端面全体のうち、各蒲鉾形状部５０の右端面部分が、当該蒲鉾形状部５０に対応するＬＥＤ４と対向している。
各導光体５の後面は、右端面から当該導光体５内に入射した光を前方へ内部反射させる反射面となっており、そのための複数のレンズカット（図示省略）を有している。この複数のレンズカットは、それぞれ上下方向に長尺に形成されており、導光体５の後面のうち上下両端部を除く略全面に亘って、左右方向に沿って並設されている。
【００１７】
このような構成により、各導光体５は、対応する組のＬＥＤ４，４からの光によって発光する。具体的には、各組のＬＥＤ４，４から左方へ出射された光が、対応する導光体５の右端面から当該導光体５内に入射し、後面のレンズカットで内部反射されて前面から前方へ出射することで、この導光体５の前面が発光する。このとき、各導光体５の後面には、２つの蒲鉾形状部５０，５０間の連結部を含む略全面に亘って複数のレンズカットが形成されているので、当該導光体５の前面は、２つの蒲鉾形状部５０，５０間の連結部を含む略全面に亘って好適に発光する。また、各導光体５では、２つの蒲鉾形状部５０，５０の前面が凸状に湾曲しているので、内部の光が当該前面で全反射しやすく（入射角が臨界角以上になりやすく）、光が入射する右端面からより左方に遠い位置まで好適に光が導光する。そのため、各導光体５の前面は、右端面からより遠くの位置まで好適に発光する。
【００１８】
インナーレンズ６は、３つの導光体５，…の前方を広く覆うように配置されている。具体的には、インナーレンズ６は、３つの導光体５，…の前方に位置する３つの透光部６１，…と、隣り合う２つの導光体５，５間の前方や上下両端に位置する黒色の複数の不透光部６２，…とを有している。このうち、３つの透光部６１，…は、透過光を拡散させるレンズカット（例えば魚眼カットなど）をそれぞれの表面に有しており、３つの導光体５，…から出射された光を当該レンズカットで拡散させつつ前方へ透過させる。
【００１９】
リフレクタ７は、屈曲板状に形成され、３つの導光体５，…の後方を囲うように配置されている。このリフレクタ７は、前面にアルミニウム皮膜が蒸着されており、３つの導光体５，…からの漏れ光などの灯室内の雑光を前方へ反射させる。
【００２０】
リフレクタ７のうち、上下両端部を除く部分は、３つの導光体５，…の配置に倣って、下方に向かうに連れて段階的に前方に位置する階段状に形成されており、３つの導光体５，…の後方に位置する３つの段面部７１，…と、隣り合う２つの導光体５，５間に位置する２つの段差部７２，７２とを有している。
【００２１】
このうち、２つの段差部７２，７２の各前面は、図３（ａ）に示すように、導光体５の下側面から出射した光を反射させる反射面７２ａとなっている。この反射面７２ａは、その直ぐ上側に位置する導光体５の下方であって、正面視で当該導光体５とは殆ど隙間のないその直下に隣接して配設されるとともに、所定の角度で前下がりに傾斜した傾斜面となっている。このような構成により、反射面７２ａは、その直ぐ上側に位置する導光体５の下側面から抜け出てしまった漏れ光を、前方へ反射させて有効に利用することができる。このとき、反射面７２ａが正面視で導光体５とは殆ど隙間なくその下方に隣接しているので、当該反射面７２ａからの反射光を、あたかも導光体５からの照射光であるかのように一体的に照射させることができる。
【００２２】
なお、図３（ｂ）に示すように、反射面７２ａがその直ぐ上側に位置する導光体５から距離を空けて設けられており、正面視で当該導光体５の下方に隣接する部分が、前後方向と直交する平面（段面部７１の前面）であった場合には、この導光体５の下側面からの漏れ光を好適に有効利用することができない。より詳しくは、この場合、反射面７２ａは、導光体５の下側面からの漏れ光を前方へ反射させて何らかの形で有効に利用することが期待できるものの、正面視で当該導光体５の下方に隣接する段面部７１の前面は、導光体５の下側面からの漏れ光を前方へ反射させることができない。そのため、正面視で導光体５の下方に隣接する部分が、当該導光体５よりも暗めに発光するダーク部となってしまう。
【００２３】
以上のように、本実施形態の灯具１によれば、導光体５の側方に配設されたリフレクタ７の反射面７２ａによって、当該導光体５の下側面から出射した光が前方へ反射される。したがって、導光体５の下側面から抜け出てしまった漏れ光を、前方への照射光として有効に利用することができる。
【００２４】
また、リフレクタ７の反射面７２ａが、正面視でその直ぐ上側の導光体５の下方に隣接しているので、当該反射面７２ａからの反射光を、あたかも導光体５からの照射光であるかのように一体的に照射させることができる。
【００２５】
なお、本発明を適用可能な実施形態は、上述した実施形態に限定されることなく、本発明の趣旨を逸脱しない範囲で適宜変更可能である。
【００２６】
例えば、上記実施形態では、リフレクタ７の反射面７２ａが導光体５の下方に配設されていることとしたが、当該反射面７２ａは、前面を発光面とする導光体の側方に設けられ
ていればよい。
また、反射面７２ａは、導光体５の側面から出射した光を前方へ反射させることができれば平面状の傾斜面でなくともよく、例えば湾曲面などであってもよい。
【符号の説明】
【００２７】
１          灯具
４          ＬＥＤ（光源）
５          導光体
６          インナーレンズ
６１      透光部
６２      不透光部
７          リフレクタ
７１      段面部
７２      段差部
７２ａ  反射面
【図１】
2015159063.tif 000003
【図２】
2015159063.tif 000004
【図３】
2015159063.tif 000005